(57)【要約】【課題】仮止め状態の締結ピンが、誤って締結位置に押し込まれないようにする。【解決手段】仮止め状態の締結ピン２０は、押し込み方向に力が作用しても、第３の係合部２３の円板部３２が底側結合部Ｂ内周面の第２の凸部４６の上端に当接するので、不用意に押し込まれることはない。また、仮止め状態の締結ピン２０は、第３の係合部２３の第１の凸部３４が蓋側結合部Ａ内周面の第１の凹部４１に弾性的に係合しているので、自然に回転することはない。仮止め状態の締結ピン２０を締結位置に押し込むには、締結ピン２０を意図的（積極的）に９０°左回りに回転させて、第３の係合部２３の第２の凹部３５を底側結合部Ｂ内周面の第２の凸部に合わせてからでないと行えない。【選択図】　　　図２
2004008291.tif 000002
【特許請求の範囲】
【請求項１】
ケース蓋側に設けられた蓋側結合部とケース底側に設けられた底側結合部とによって構成された結合部に、締結ピンを弾性的に挿入して引き抜き不能に締結位置に押し込むことにより、前記蓋側結合部と前記底側結合部とを締結して前記ケース蓋と前記ケース底とを開放不能に閉鎖するケースの締結構造において、
前記結合部は、挿入された前記締結ピンを、前記締結位置に押し込まれる前の仮止め位置に保持するための保持手段と、
前記仮止め位置に保持された仮止め状態の前記締結ピンが、前記仮止め位置から前記締結位置に押し込まれることを禁止する禁止手段と、を備える、
ことを特徴とするケースの締結構造。
【請求項２】
前記禁止手段は、仮止め状態の前記締結ピンの回転を弾性的に禁止する回転禁止手段と、
仮止め状態の前記締結ピンの押し込み方向への移動を禁止する押し込みを禁止するとともに、仮止め状態の前記締結ピンを弾性力に抗して所定角度だけ回転させた状態において前記締結ピンの押し込み方向への移動を許容する押し込み禁止手段と、を有する、
ことを特徴とする請求項１に記載のケースの締結構造。
【請求項３】
前記回転禁止手段は、前記締結ピンの外周面と前記結合部の内周面とのうちの一方に形成された第１の凹部と、他方に突設されて前記第１の凹部に弾性的に係脱可能な第１の凸部と、を有し、
前記第１の凹部と前記第１の凸部とは、前記締結ピンが前記仮止め位置に配置されたときには相互に係合するとともに、前記締結ピンの意図的な回転動作に対しては係合が解除される、
ことを特徴とする請求項２に記載のケースの締結構造。
【請求項４】
前記第１の凸部が前記締結ピンの外周面に形成され、前記第１の凹部が前記蓋側結合部の内周面に形成されている、
ことを特徴とする請求項３に記載のケースの締結構造。
【請求項５】
前記押し込み禁止手段は、前記結合部の内周面に形成された第２の凸部と、前記締結ピンの外周面に前記締結ピンの軸方向に沿って溝状に形成された第２の凹部と、を有し、
前記第２の凸部は、仮止め状態の前記締結ピンに係合して、前記締結ピンの押し込みを禁止するとともに、前記締結ピンが所定角度だけ回転された状態において前記締結ピンが押し込み方向に移動される際に前記第２の凹部の通過を許容する、
ことを特徴とする請求項２ないし４のいずれか１項に記載のケースの締結構造。
【請求項６】
前記第２の凸部が前記底側結合部の内周面に形成されている、
ことを特徴とする請求項５に記載のケースの締結構造。
【請求項７】
前記締結ピンは、先端側に、締結状態において前記底側結合部に対して引き抜き不能に係合する第１の係合部を有し、基端側に、締結状態において前記蓋側結合部に対して押し込み不能に係合する第２の係合部を有する、ことを特徴とする請求項１ないし６のいずれか１項に記載のケースの締結構造。
【請求項８】
前記締結ピンは、先端側に、締結状態において取り付け部材に対して引き抜き不能に係合する第１の係合部を有し、基端側に、締結状態において前記蓋側結合部に対して押し込み不能に係合する第２の係合部を有し、締結状態において、前記取り付け部材と前記蓋側結合部との間に前記底側結合部を挟み込む、
ことを特徴とする請求項１ないし６のいずれか１項に記載のケースの締結構造。
【請求項９】
前記締結ピンは、先端側と基端側との中間部に、締結状態において前記蓋側結合部に対して引き抜き不能に係合する第３の係合部を有する、
ことを特徴とする請求項７又は８に記載のケースの締結構造。
【請求項１０】
ケース蓋本体と該ケース蓋本体の側方に突設された複数の蓋側結合部とを有するケース蓋と、ケース底本体と該ケース底本体の側方に突設された複数の底側結合部とを有するケース蓋と、を備えたケースにおいて、
前記蓋側結合部と前記底側結合部とを締結して、前記ケース蓋と前記ケース底とを開閉不能に閉鎖するための締結構造が、請求項１ないし９のいずれか１項に記載のケースの締結構造である、
ことを特徴とするケース。
【請求項１１】
前記蓋側結合部と前記底側結合部とのうちの少なくとも一方が、前記ケース蓋又は前記ケース底に対して、切断容易な切断部を介して連結されている、
ことを特徴とする請求項１０に記載のケース。
【請求項１２】
内側に遊技機の動作を制御する制御基板を密封する、
ことを特徴とする請求項１１に記載のケース。
【発明の詳細な説明】
【０００１】
【発明の属する技術分野】
本発明は、ケース本体に対してケース蓋を開閉不能に閉蓋するためのケースの締結構造、及びこの締結構造を備えたケースに関する。
【０００２】
【従来の技術】
例えば、近時のパチスロやパチンコ機等の遊技機には、制御基板が装着されている。この制御基板には、遊技機全体の遊技動作を制御するためのＲＯＭ等の電子部品が搭載されている。したがって、この制御基板が不正に交換されたり、改造されたりした場合には、大量のメダルやパチンコ玉が不当に獲得されるおそれがあり、大きな被害をこうむることになる。
【０００３】
このような制御基板の不当な交換を防止するために、制御基板は、基板ケースに封印された状態で、遊技機に取り付けられている。この基板ケースは、制御基板が収納されるケース底とケース蓋とによって構成されている。ケース底に制御基板を収納して、ケース蓋で蓋をし、さらにケース底とケース蓋とを締結ピンで開放不能に結合することによって、基板ケース内に制御基板を封印するのである。
【０００４】
こうして一旦、封印が行われると、基板ケースを開放するためには、少なくともその一部を破壊しなければならない。つまり、基板ケースを破壊することなく、中の制御基板に細工を加えたり、制御基板をケース外部に取り出したりすることは不可能となる。したがって、基板ケースの破壊の痕跡の有無を調べることで、制御基板に不当に手が加えられたか否かを識別することができる。
【０００５】
ところで、上述の基板ケースは、制御基板の点検や修理のために開放し、その点検・修理後には再度、閉鎖する作業が必要となる。
【０００６】
つまり、上述の基板ケースは、閉鎖・開放の作業が繰り返されることになる。
【０００７】
そこで、このような閉鎖・開放作業を容易にするための基板ケースが、例えば、特開平１１−３４１８６号公報に開示されている。
【０００８】
この基板ケースは、制御基板を収納するケース底と、その蓋となるケース蓋とを備えている。ケース蓋には複数の蓋側結合部が、またケース底には複数の底側結合部が設けてあり、それぞれ１つずつの蓋側結合部と底側結合部とによって１組の結合部を構成する。１回目の基板ケースの閉鎖時には、そのうちの１組の結合部に締結ピンを挿入して係合させることにより、底側結合部と蓋側結合部とを締結して基板ケースを開放不能に閉鎖する。制御基板の点検・修理が必要となったときには、その結合部を切断して基板ケースを開放し、中の制御基板の点検・修理を行う。そして、点検・修理作業後の再度の閉鎖時には、次の組の結合部に同様に締結ピンを挿着して開放不能に閉鎖する。
【０００９】
この基板ケースにおいては、次以降（２回目以降）に使用する組の結合部（以下「未使用の結合部」という。）には、あらかじめ締結ピンを仮止め状態に保持しておく。仮止め状態とは、例えば、締結ピンを結合部に完全に押し込んで挿着するのではなく、挿入途中で止めて蓋側結合部によって締結ピンを保持しておくことをいう。このような仮止め状態を設けることにより、締結ピンの紛失を防止し、かつ結合部の締結動作の簡略化を図っている。すなわち、結合時には、その仮止めされている締結ピンの頭部を結合部に押し込むだけの簡単な締結動作で、基板ケースの閉鎖作業を完了して、制御基板を封印することができるようになっている。
【００１０】
【発明が解決しようとする課題】
しかしながら、この基板ケースによると、上述したように、仮止め状態の締結ピンの頭部を押し込むだけの簡単な締結動作で基板ケースの閉鎖作業を行うことができるがために、かえって、仮止め状態の締結ピンが誤って結合部に完全に挿入されてしまうおそれがある。そして、一旦、締結ピンが不要に結合部に挿着された場合、つまり誤挿着された場合には、基板ケースの開放時に切断する結合部が増加し、また再度の結合時に使用可能な結合部が減少してしまうことになる。
【００１１】
なお、このような問題は、基板ケースに限ったものではなく、締結ピンによる閉鎖時には開放不能に閉鎖され、かつ逐次、閉鎖・開放が繰り返される一般的なケースについても当てはまる問題である。
【００１２】
そこで、本発明は、締結ピンによる締結動作、ひいてはケースの閉鎖作業を効率的に行うことができ、しかも仮止め状態の締結ピンの誤挿着を未然に防止することができるケースの締結構造、及びこケースを提供することを目的とするものである。
【００１３】
【課題を解決するための手段】
請求項１に係る発明は、ケース蓋側に設けられた蓋側結合部とケース底側に設けられた底側結合部とによって構成された結合部に、締結ピンを弾性的に挿入して引き抜き不能に締結位置に押し込むことにより、前記蓋側結合部と前記底側結合部とを締結して前記ケース蓋と前記ケース底とを開放不能に閉鎖するケースの締結構造において、前記結合部は、挿入された前記締結ピンを、前記締結位置に押し込まれる前の仮止め位置に保持するための保持手段と、前記仮止め位置に保持された仮止め状態の前記締結ピンが、前記仮止め位置から前記締結位置に押し込まれることを禁止する禁止手段と、を備える、ことを特徴とする。
【００１４】
請求項２に係る発明は、請求項１に記載のケースの締結構造において、前記禁止手段は、仮止め状態の前記締結ピンの回転を弾性的に禁止する回転禁止手段と、仮止め状態の前記締結ピンの押し込み方向への移動を禁止する押し込みを禁止するとともに、仮止め状態の前記締結ピンを弾性力に抗して所定角度だけ回転させた状態において前記締結ピンの押し込み方向への移動を許容する押し込み禁止手段と、を有する、ことを特徴とする。
【００１５】
請求項３に係る発明は、請求項２に記載のケースの締結構造において、前記回転禁止手段は、前記締結ピンの外周面と前記結合部の内周面とのうちの一方に形成された第１の凹部と、他方に突設されて前記第１の凹部に弾性的に係脱可能な第１の凸部と、を有し、前記第１の凹部と前記第１の凸部とは、前記締結ピンが前記仮止め位置に配置されたときには相互に係合するとともに、前記締結ピンの意図的な回転動作に対しては係合が解除される、ことを特徴とする。
【００１６】
請求項４に係る発明は、請求項３に記載のケースの締結構造において、前記第１の凸部が前記締結ピンの外周面に形成され、前記第１の凹部が前記蓋側結合部の内周面に形成されている、ことを特徴とする。
【００１７】
請求項５に係る発明は、請求項２ないし４のいずれか１項に記載のケースの締結構造において、前記押し込み禁止手段は、前記結合部の内周面に形成された第２の凸部と、前記締結ピンの外周面に前記締結ピンの軸方向に沿って溝状に形成された第２の凹部と、を有し、前記第２の凸部は、仮止め状態の前記締結ピンに係合して、前記締結ピンの押し込みを禁止するとともに、前記締結ピンが所定角度だけ回転された状態において前記締結ピンが押し込み方向に移動される際に前記第２の凹部の通過を許容する、ことを特徴とする。
【００１８】
請求項６に係る発明は、請求項５に記載のケースの締結構造において、前記第２の凸部が前記底側結合部の内周面に形成されている、ことを特徴とする。
【００１９】
請求項７に係る発明は、請求項１ないし６のいずれか１項に記載のケースの締結構造において、前記締結ピンは、先端側に、締結状態において前記底側結合部に対して引き抜き不能に係合する第１の係合部を有し、基端側に、締結状態において前記蓋側結合部に対して押し込み不能の係合する第２の係合部を有する、ことを特徴とする。
【００２０】
請求項８に係る発明は、請求項１ないし６のいずれか１項に記載のケースの締結構造において、前記締結ピンは、先端側に、締結状態において取り付け部材に対して引き抜き不能に係合する第１の係合部を有し、基端側に、締結状態において前記蓋側結合部に対して押し込み不能に係合する第２の係合部を有し、締結状態において、前記取り付け部材と前記蓋側結合部との間に前記底側結合部を挟み込む、ことを特徴とする。
【００２１】
請求項９に係る発明は、請求項７又は８に記載のケースの締結構造において、前記締結ピンは、先端側と基端側との中間部に、締結状態において前記蓋側結合部に対して引き抜き不能に係合する第３の係合部を有する、ことを特徴とする。
【００２２】
次に、請求項１０に係る発明は、ケース蓋本体と該ケース蓋本体の側方に突設された複数の蓋側結合部とを有するケース蓋と、ケース底本体と該ケース底本体の側方に突設された複数の底側結合部とを有するケース蓋と、を備えたケースにおいて、前記蓋側結合部と前記底側結合部とを締結して、前記ケース蓋と前記ケース底とを開閉不能に閉鎖するための締結構造が、請求項１ないし８のいずれか１項に記載のケースの締結構造である、ことを特徴とする。
【００２３】
請求項１１に係る発明は、請求項１０に記載のケースにおいて、前記蓋側結合部と前記底側結合部とのうちの少なくとも一方が、前記ケース蓋又は前記ケース底に対して、切断容易な切断部を介して連結されている、ことを特徴とする。
【００２４】
請求項１２に係る発明は、請求項１１に記載のケースにおいて、内側に遊技機の動作を制御する制御基板を密封する、ことを特徴とする。
【００２５】
【発明の効果】
請求項１に係る発明によると、結合部は保持手段を備えているので、この保持手段によってあらかじめ締結ピンを仮止め位置に保持しておくことにより、この締結ピンを仮止め位置から締結位置に押し込むことによって、簡単に蓋側結合部と底側結合部とを締結してケース蓋とケース底とを開放不能に閉鎖することができる。さらに、結合部には禁止手段が設けてあるので、この禁止手段により、締結ピンが誤って仮止め位置から締結位置に押し込まれることがない。つまり、仮止め状態の締結ピンが誤挿着されることを防止することができる。
【００２６】
請求項２に係る発明によると、仮止め状態の締結ピンは、回転禁止手段によって、自然に回転してしまうことが防止されて、仮止め状態を維持する。そして、締結ピンは仮止め状態を維持する限り、押し込み禁止手段によって押し込み方向の移動が禁止される。つまり、仮止め状態の締結ピンが不用意に仮止め位置から締結位置に移動してしまうことがない。仮止め状態の締結ピンは、弾性的に回転が禁止されているので、自然には回転することはないが、積極的な回転動作によっては回転することができる。また、押し込み禁止手段は、締結位置から所定角度だけ回転された締結ピンについては押し込み方向の移動を許容する。したがって、仮止め位置にある締結ピンを締結位置に押し込むには、まず、仮止め状態の締結ピンを積極的に（弾性力に抗して）所定角度だけ回転させた後、この状態で締結ピンを押し込むことにより、締結ピンを締結位置に移動させて、結合部の締結を行うことができる。
【００２７】
請求項３に係る発明によると、仮止め位置に配置された締結ピンと結合部とは、これらのうちの一方に形成された第１の凸部と他方に形成された第１の凹部とが弾性的に係合することで、仮止め位置に保持される。したがって、この係合が自然に外れて締結ピンが回転してしまうようなことはない。一方、第１の凸部と第１の凹部との係合は弾性的に行われているので、締結ピンの意図的な回転動作、言い換えると締結ピンの積極的な回転動作に対しては、その係合が解除されて締結ピンの回転が許容される。
【００２８】
請求項４に係る発明によると、第１の凸部が締結ピンの外周面に形成され、また第１の凹部が蓋側結合部の内周面に形成されているので、蓋側結合部に対する締結ピンの挿入動作によって、これら凸部と凹部とを簡単に係合させることができる。一方、締結ピンを積極的に回転させることによって、この係合を簡単に解除することができる。
【００２９】
請求項５に係る発明によると、結合部の内周面に形成された第２の凸部が仮止め状態の締結ピンに係合することによって締結ピンの押し込み動作を禁止する。仮止め状態の締結ピンを所定角度だけ回転させると、締結ピンの外周面に形成された軸方向の溝状の第２の凹部が、第２の凸部に合うので、この状態で締結ピンを押し込むと、締結ピンは、第２の凹部が第２の凸部を避けるようにして締結位置に移動することができる。
【００３０】
請求項６に係る発明によると、第２の凸部が底側結合部の内周面に形成されているので、蓋側結合部の内周面に形成される場合に比較して、仮止め状態の締結ピンを結合部に深く挿入させておくことができる。すなわち、仮止め状態において、締結ピンの基端部（頭部）の、蓋側結合部からの突出量を小さく押さえることができる。これにより、仮止め状態の締結ピンの頭部に不要に接触する機会が現状され、また締結ピンを仮止め位置から回転させて締結位置に押し込む際の、締結ピンのストローク量を小さくすることができる。
【００３１】
請求項７に係る発明によると、締結位置に押し込まれた締結ピン（締結状態の締結ピン）は、先端側の第１の係合部が引き抜き不能に底側結合部に係合し、基端側の第２の係合部が押し込み不能に蓋側結合部に係合する。すなわち、締結ピンは先端側の第１の係合部と、基端側の第２の係合部との間で、底側結合部と蓋側結合部とを挟み込むようにして締結することができる。
【００３２】
請求項８に係る発明によると、締結ピンを締結位置に配置することで、ケースを開閉不能に閉鎖すると同時に、そのケースを取り付け部材に取り外し不能に固定することができる。したがって、ケースの閉鎖と、取り付け部材に対するケースの取付けとを個別に行う場合と比較して、作業性を格段に向上させることができる。
【００３３】
請求項９に係る発明によると、締結ピンの中間部に第３の係合部が設けてあって、この第３の係合部が、締結ピンの締結状態において蓋側結合部に引き抜き不能に係合する。したがって、締結ピンは、上述の第１の係合部の係合と相俟って、さらに引き抜きにくくなる。
【００３４】
請求項１０に係る発明によると、ケースが上述の締結構造のうちのいずれかを備えているので、このケースは、上述の締結構造で説明した作用・効果を有するケースとなる。さらにこのケースは、複数の蓋側結合部と複数の底側結合部とによって複数の結合部を構成しているので、締結ピンによる締結に供される結合部に対して締結ピンを締結位置に押し込むことによって締結を行って、ケースを開放不能に閉鎖することができる。なお、他の結合部については、締結ピンをあらかじめ仮止め位置に配置しておく。
【００３５】
請求項１１に係る発明によると、切断部を切断して、蓋側結合部と底側結合部とのうちの少なくとも一方をケース蓋又はケース底から切り離すことにより、簡単にケースを開放することが可能となる。
【００３６】
請求項１２に係る発明によると、上述の締結機構を利用して、仮止め状態の締結ピンを所定角度だけ回転させて締結位置に押し込む、といった簡単な締結動作で、遊技機の制御基板をケース内に密封することができる。一方、切断部を切断するといった簡単な動作で、ケースを開放して、制御基板の点検・修理を行うことができる。しかも、仮止め状態の締結ピンが、不用意に締結位置に押し込まれることがない。
【００３７】
【発明の実施の形態】
以下、図面に沿って、本発明の実施の形態について説明する。なお、各図面において、同一の符号を付したものは、同様の構成又は作用を有するものであり、これらについての重複説明は適宜省略するものとする。
【００３８】
＜実施の形態１＞
まず、図１を参照して、本発明に係るケースの一例を説明する。
図１に、実施の形態１に係るケース１の全体斜視図を示す。なお、同図に示すケース１は、パチスロ，パチンコ機等の遊技機において、遊技全体の動作を制御する制御基板（不図示）を開閉不能に密封するためのケースであり、遊技機本体（不図示）の取付け板（取り付け部材）２に取り付けられている。
【００３９】
同図に示すケース１は、全体としてほぼ箱状に形成されており、蓋に相当するケース蓋３と、ケース本体に相当するケース底４とを備えている。
【００４０】
ケース１には、その側方に多数の結合部１１〜１６が設けられている。さらに結合部１１，１２と同様の結合部１７，１８が、結合部１１，１２の対角線の位置に設けてある（結合部１８は点線で図示）。このうち、結合部１１，１２，１７，１８は、ケース蓋３とケース底４とを開放不能に閉鎖して内側に制御基板を密封するものである。これに対し、結合部１３〜１６は、ケース１を遊技機に取り外し不能に取り付けるためのものである。ここで、ケース１について、開閉不能とは、ケース１の一部を破壊することなくケース１を開放することができないという意味であり、また取り外し不能とは同様に、ケース１の一部を破壊することなくケース１を遊技機から取り外すことができないという意味である。
【００４１】
結合部１１〜１８は、それぞれ蓋側結合部Ａと底側結合部Ｂとによって構成されており、これらに締結ピン２０を加えて、本発明に係るケースの締結構造を構成している。なお、同じ底側結合部Ｂでも、結合部１１，１２，１７，１８の底側結合部Ｂと、結合部１３〜１６の底側結合部Ｂでは、その構造が多少異なるが、この点については後に詳述する。
【００４２】
それぞれの蓋側結合部Ａは、ケース蓋３の側方に突設された板状の取付け部ａによってケース蓋３に連結されている。また、それぞれの底側結合部Ｂは、ケース底４の側方に突設された板状の取付け部ｂによってケース底４に連結されている。なお、これら取付け部ａ，ｂは、比較的容易に切断できるようになっている。
【００４３】
次に、図２，図３，図４を参照して、本実施の形態に係るケースの締結構造について説明する。
【００４４】
図２，図３は、それぞれ図１中の結合部１１，１２，１７，１８の縦断面図を示す。このうち図２は、締結ピン２０が仮止め位置に配置された状態（仮止め状態）を図示し、一方、図３は、締結ピン２０が締結位置に配置された状態（締結状態）を図示している。
【００４５】
また、図４は、締結ピン２０、蓋側結合部Ａ、底側結合部Ｂの拡大斜視図である。以下、締結ピン２０、蓋側結合部Ａ、底側結合部Ｂの順に説明する。
【００４６】
締結ピン２０は、これら図２〜図４に示すように、ピン軸Ｃを中心としたほぼ回転体状に形成されている。締結ピン２０は、例えば合成樹脂や金属によって形成されていて、その材質により、又は後述するようにその形状によって適度な弾性を有するように形成されている。
【００４７】
締結ピン２０は、先端側（図２〜図４中の下部側）に第１の係合部２１を有し、基端側（図２〜図４中の上部側）に第２の係合部２２を有し、さらに先端側と基端側と間の中間部に第３の係合部２３を有している。そして、これら第１の係合部２１と第３の係合部２３とは、小径円柱部２４によって、また第３の係合部２３と第２の係合部２２とは、大径円柱部２５によってそれぞれ連結されている。
【００４８】
第１の係合部２１は、上部が大径の円錐台状に形成されていて、小径円柱部２４との境界部分に第１のフック部（段差部）２６が形成されている。また、第１の係合部２１には、これと小径円柱部２４の下部とを直径方向に貫通するスリット２７が形成されている。
【００４９】
第２の係合部２２は、円板状に形成されていて、大径円柱部２５との境界部分に第２のフック部（段差部）２８が形成されている。
【００５０】
第３の係合部２３は、大径円柱部２５との境界部分に第３のフック部（段差部）３０が形成されている。また、第３の係合部２３は、その外周面に上下方向のほぼ中央から始まって、下方ほど直径が小さくなる縮径部３１を有しており、この縮径部３１とこの下方に隣接する円板部３２との間に、第３のフック部（段差部）３３が形成されている。第３の係合部２３の外周面における上側の部分には、ほぼ半球状の第１の凸部３４が突設されている。また、この第３の係合部２３の外周面には、ピン軸Ｃに沿って溝状の第２の凹部３５が形成されている。この第２の凹部３５は、上述の第１の凸部３４に対して、図２〜図４に示すように、締結ピン２０の基端側から見て左回りに９０°回転した位置に配置されている。
【００５１】
上述の大径円柱部２５の外周面には、周方向の位置が、上述の第１の凸部３４と同じの凸状の目印３６が突設されている。
【００５２】
蓋側結合部Ａは、全体としてほぼ円筒状に形成されている。蓋側結合部Ａの内周面における下半部は、上述の締結ピン２０の第３の係合部２３の外周面とほぼ同形に形成されていて、第３のフック部３３が係合される第３の係止部４０を有している。また、蓋側結合部Ａの内周面には、締結ピン２０が図２に示す仮止め位置に配置されたときに、締結ピン２０の第１の凸部３４が弾性的に係合されるほぼ半球状の第１の凹部４１が形成されている。また蓋側結合部Ａの上端には、締結ピン２０の第２の係合部２２の第２のフック部２８が係合される第２の係止部４２が形成されている。さらにまた蓋側結合部Ａの下半部には、図４に示すように蓋側結合部Ａの外周側と内周側とを貫通する縦方向のスリット４３が複数、設けてある。
【００５３】
底側結合部Ｂは、全体としてほぼ円柱状に形成されている。底側結合部Ｂの内側には、上下方向の中央よりも少し低い位置に、締結ピン２０の第１の係合部２１が通過する透孔４４が穿設されている。この透孔４４における下側の周縁部は、締結ピン２０の第１の係合部２１の第１のフック部２６が係合される第１の係止部４５となる。底側結合部Ｂの内周面における透孔４４の上方には、ストッパとして、締結ピン２０の溝状の第２の凹部３５に対応する形状の第２の凸部４６が突設されている。この第２の凸部４６は、図１に示す仮止め状態の締結ピン２０の第２の凹部３５に対して、締結ピン２０の基端部から見て左回りに９０°回転した位置に配置されている。この第２の凸部４６は、その上端の部分において、仮止め状態の締結ピン２０が締結位置に押し込まれることを防止する。図２，図３に示す第２の凸部４６は、長方形状の水平断面を有する、ピン軸Ｃ方向に長い棒状に形成されている。この第２の凸部４６は、その上端の部分において、仮止め状態の締結ピン２０が締結位置に押し込まれることを防止する。したがって、上述のように、ピン軸Ｃ方向に長く形成するほか、ピン軸Ｃ方向に短いものであってもよい。つまり、例えば、垂直方向の断面の形状が、水平方向の断面形状と同様のものであってもよい。
【００５４】
上述の蓋側結合部Ａ及び底側結合部Ｂは、例えば、合成樹脂によって形成することができる。この場合には、蓋側結合部Ａは上述のケース蓋３及び取付け部ａとともに一体成型するとよい。同様に底側結合部Ｂも上述のケース底４及び取付け部ｂとともに一体成型するとよい。これら蓋側結合部Ａ及び底側結合部Ｂを合成樹脂によって形成する場合には、上述の締結ピン２０は、合成樹脂及び金属のいずれで形成してもよい。なお、蓋側結合部Ａ及び底側結合部Ｂを金属によって形成することも可能であるが、この場合には、締結ピン２０は合成樹脂で形成するものとする。
【００５５】
以上説明した、締結ピン２０、蓋側結合部Ａ、底側結合部Ｂにおいて、蓋側結合部Ａの内周面の下半部は、締結ピン２０の第３の係止部２３の外周面とほぼ同形に形成されていて、締結ピン２０を図２に示す仮止め位置に保持する保持手段として作用する。
【００５６】
また、締結ピン２０の第３の係合部２３の外周面に突設された第１の凸部３４と、この第１の凸部３４が係脱される蓋側結合部Ａ内周面の第１の凹部４１とによって、仮止め状態の締結ピン２０の回転を禁止する回転禁止手段を構成する。さらに、底側結合部Ｂ内周面の第２の凸部４６は、締結ピン２０の第３の係合部２３の溝状の第２の凹部とともに押し込み禁止手段を構成する。そして、上述の回転禁止手段と、押し込み禁止手段とによって、仮止め位置に保持された仮止め状態の締結ピン２０が、図２に示す仮止め位置から図３に示す締結位置に押し込まれることを禁止する禁止手段を構成する。
【００５７】
上述のケースの締結構造によると、締結ピン２０をあらかじめ仮止め位置に保持しておき、また、このとき締結ピン２０が誤って締結位置に押し込まれることを防止し、結合部の締結時には、仮止め状態にある締結ピン２０を所定の角度だけ回転させた後、押し込むことにより簡単に締結位置に移動させることができる。
【００５８】
すなわち、図４に示すように、蓋側結合部Ａの上方から、締結ピン２０を挿入する。このとき、目印３６と第１の凸部３４の周方向の位置が同じであるので、目印３６の位置が、蓋側結合部Ａ内周面の第１の凹部４１に合うように挿入する。蓋側結合部Ａの下半部にはスリット４３が形成されているので、第３の係合部２３の円板部３２が蓋側結合部Ａ内周面の第３の係止部４０を通過するときには、蓋側結合部Ａの下半部が外側に広がって、その通過を許容する。円板部３２が第３の係止部４０を通過し終えると、この第３の係止部４０に円板部３２の第３のフック部３３が係合する。これにより、締結ピン２０は、抜け方向（図２の上方）には移動できなくなる。ここで、さらに締結ピン２０を押し込んだとしても、円板部３２が底側結合部Ｂ内周面の第２の凸部４６に当接するので、それ以上の押し込みが禁止される。なお、締結ピン２０は、図２に示す位置から少し押し込まれた場合には、第３の係止部４０が第３の係合部２３の縮径部３１に当接して締結ピン２０を抜け方向に付勢する。したがって、手を離すと、締結ピン２０は、ピン軸方向の位置が、図２に示す位置に位置決めされる。
【００５９】
この状態で、第１の凸部３４がまだ第１の凹部４１に係合していない場合には、締結ピン２０を左右に少し回転させれば、簡単係合させることができる。この係合により、締結ピン２０は、仮止め位置に保持され、回転が禁止されるので、不用意に（誤って）締結位置に押しこまれることはない。もちろん抜け落ちることもない。
【００６０】
締結ピン２０を締結位置に押し込むには、まず仮止め状態の締結ピン２０を所定角度だけ（本実施の形態では、左回りに９０°）回転させて、締結ピン２０の第２の凹部３５を底側結合部Ｂ内周面の第２の凸部４６に合わせる。この状態で、締結ピン２０を押すと、下方に移動させることができる。締結ピン２０の第１の係合部２１が底側結合部Ｂの透孔４４を通過する。このとき第１の係合部２１には、スリット２７が形成されているので、第１の係合部２１は内側に縮んで透孔４４の通過が可能となる。通過が終了すると、図３に示すように、第１の係合部２１の第１のフック部２６が第１の係止部４５に係合される。ほぼこれと同時に、第３の係合部２３の第３のフック部３０が蓋側結合部Ａ内周面の第３の係止部４０に係合する。さらに、締結ピン２０の第２の係合部２２の第２のフック部２８が蓋側結合部Ａ上端の第２の係止部４２に係合する。これにより、締結ピン２０による蓋側結合部Ａと底側結合部Ｂとの締結作業が完了し、ケース蓋３とケース底４とを開閉不能に閉鎖して、内側に制御基板を封印することができる。
【００６１】
図１に示すように、ケース１の１回目の閉鎖作業（制御基板の封印作業）は、結合部１２，１８の締結ピン２０を仮止め位置から締結位置に押し込むことによって行う。さらに、こうして閉鎖されたケース１は、ケース底４の一部である挿入部６を、遊技機本体に先に取り付けられた取付板２の所定の箇所に挿入した後、結合部１６の締結ピン２０を仮止め位置から締結位置に押し込むことによって遊技機本体に取り外し不能の取り付けることができる。なお、他の結合部１１，１３〜１５，１７の締結ピン２０は仮止め状態のまま残しておく。
【００６２】
ここで、図５に結合部１６の縦断面図を示す。結合部１６においては、締結ピン２０の第１の係合部２１が係合される透孔５が、底側結合部Ｂにではなく、遊技機本体に固定されている取付け板２に穿設されている。したがって、結合部１６において締結ピン２０を締結位置に配置すると、ケース３全体を取り外し不能に取付け板２に取り付けることができる。同図に示す例では、締結ピン２０の締結状態において、取付け板２と蓋側結合部Ａとの間に底側結合部Ｂを挟み込むようになる。このように構成することにより、締結ピン２０を締結位置に配置することで、ケース１を開閉不能に閉鎖すると同時に、そのケース１を取付け板２に取り外し不能に固定することができる。したがって、ケース１の閉鎖と、取付け板２に対するケース１の取付けとを個別に行う場合と比較して、作業性を格段に向上させることができる。図５に示す締結構造は、図２，図３に示す締結構造における、底側結合部Ｂを２分割して第２の凸部４６を有する部分と、締結ピン２０の第１の係合部２１が係合される透孔４４を有する部分とに分けたものであると言える。言い換えると、図２，図３に示す締結構造は、図５に示す締結構造における底側結合部Ｂと取付け板２とを一体に構成したものである。
【００６３】
図１に示す前述の取付け部ａ，ｂ、すなわちケース蓋３と蓋側結合部Ａとを連結している取付け部ａ、ケース底４と底側結合部Ｂとを連結している取付け部ｂは、いずれも比較的容易に切断できる切断部となっている。遊技機本体からケース１を取り外すには、結合部１６において、取付け部ａ，ｂを切断することで簡単に取り外しできる。また、ケース１を開放するには、結合部１２，１８のそれぞれにおいて、取付け部ａ，ｂのうちの少なくとも一方を切断することにより、簡単に開放することができる。
【００６４】
ケース１を開放して、中の制御基板を点検・修理した後、ケース１を再度閉鎖するときには、今度は、結合部１１，１７に仮止めされている締結ピン２０を締結位置に押し込む。これにより、ケース１を再度、開放不能に閉鎖して、制御基板を封印することができる。このケース１を遊技機本体に取り付ける際には、挿入部６を遊技機本体の所定の箇所に挿入した後、結合部１５において仮止め状態にあった締結ピン２０を仮止め位置から締結位置に移動させることにより、取り外し不能に取り付けることができる。
【００６５】
以上の実施の形態においては、回転禁止手段を構成する、第１の凸部３４、第１の凹部４１をそれぞれ締結ピン２０、蓋側結合部Ａに設けたが、この逆であってもよい。すなわち、第１の凸部３４を蓋側結合部Ａに、また第１の凹部４１を締結ピン２０に設けるようにしてもよい。また、上述の実施の形態においては、締結ピン２０と蓋側結合部Ａとの間に回転禁止手段を構成したが、これに代えて、締結ピン２０と底側結合部Ｂとの間に回転禁止手段を構成するようにしてもよい。
【００６６】
【図面の簡単な説明】
【図１】ケースが開放不能に閉鎖された状態で、遊技機本体の取付け板に取り外し不能に取り付けられたようすを示す斜視図である。
【図２】図１中の結合部１１の拡大縦断面図である。
【図３】図１中の結合部１２の拡大縦断面図である。
【図４】締結ピン、蓋側結合部、底側結合部の拡大斜視図である。
【図５】図１中の結合部１６の拡大縦断面図である。
【符号の説明】
１　　　　　ケース
２　　　　　取付け板（取り付け部材）
３　　　　　ケース蓋
４　　　　　ケース底
１１〜１８　結合部
２０　　　　締結ピン
２１　　　　第１の係合部
２２　　　　第２の係合部
２３　　　　第３の係合部
３４　　　　第１の凸部（回転禁止手段）
３５　　　　第２の凹部（押し込み禁止手段）
４１　　　　第１の凹部（回転禁止手段）
４６　　　　第２の凸部（押し込み禁止手段）
Ａ　　　　　蓋側結合部
Ｂ　　　　　底側結合部
ａ，ｂ　　　切断部（取付け部）
【図１】
2004008291.tif 000003
【図２】
2004008291.tif 000004
【図３】
2004008291.tif 000005
【図４】
2004008291.tif 000006
【図５】
2004008291.tif 000007